(57)【要約】【課題】送信すべき各種の情報がある場合に、その情報を入力する煩雑さがない上にリアルタイムで取得できるようにした音声認識機能付きリーダライタの提供。【解決手段】音声・文字変換部３３は、マイクロホン３２から入力された音声の意味内容を認識し、この認識した意味内容を対応する文字データに変換する。制御回路３５は、その変換された文字データが所定のものであるか否かを判定し、所定のものであると判定した場合にその文字データをメモリ３５１に格納する。制御回路３５は、非接触ＩＣカード４がリーダライタ３と通信が可能であると判断した場合に、メモリ３５１に記憶される文字データを読み出し、この読み出した文字データを送信データとして送受信回路３６に出力する。【選択図】  図１
2005222309.tif 000002
【特許請求の範囲】
【請求項１】
非接触ＩＣカードに対してデータを送信するための送信手段を備えたリーダライタにおいて、
入力された音声の意味内容を認識する音声認識手段を備え、
前記音声認識手段が認識した意味内容またはその意味内容に従うデータを、前記データとして前記送信手段に供給するようにしたことを特徴とする音声認識機能付きリーダライタ。
【請求項２】
前記音声認識手段が認識した意味内容またはその意味内容に従うデータと外部データとのいずれか一方を選択的に前記送信手段に供給する選択手段を、さらに備えていることを特徴とする請求項１に記載の音声認識機能付きリーダライタ。
【請求項３】
非接触ＩＣカードに対してデータを送信するための送信手段を備えたリーダライタにおいて、
入力された音声の意味内容を認識し、この認識した意味内容を対応する文字データに変換する音声・文字変換手段を備え、
前記音声・文字変換手段が変換した文字データを、前記送信手段の送信データとして前記送信手段に供給するようにしたことを特徴とする音声認識機能付きリーダライタ。
【請求項４】
前記音声・文字変換手段で変換された文字データと外部データとのいずれか一方を選択的に前記送信手段に供給する選択手段を、さらに備えていることを特徴とする請求項３に記載の音声認識機能付きリーダライタ。
【請求項５】
非接触ＩＣカードに対してデータを送信するための送信手段を備えたリーダライタにおいて、
入力された音声の意味内容を認識し、この認識した意味内容を対応する文字データに変換する音声・文字変換手段と、
前記音声・文字変換手段が変換した文字データが所定のものであるか否かを判定する判定手段と、
前記判定手段で前記文字データが所定のものであると判定された場合に、その文字データを格納する記憶手段とを備え、
前記非接触ＩＣカードが前記リーダライタと通信が可能な場合に、前記記憶手段に記憶される文字データを読み出し、この読み出した文字データを前記送信手段の送信データとして前記送信手段に供給するようにしたことを特徴とする音声認識機能付きリーダライタ。
【請求項６】
請求項１乃至請求項５のうちのいずれかに記載の音声認識機能付きリーダライタと、非接触ＩＣカードとを備え、
前記非接触ＩＣカードは、
音声認識機能付きリーダライタの送信手段から送信される送信データを受信する受信手段と、
前記受信手段が受信した受信データを表示する表示手段と、
を備えていることを特徴とする非接触ＩＣカードシステム。
【請求項７】
前記非接触ＩＣカードは、
前記受信手段が受信する受信電波を整流して電圧を生成し、この整流電圧を前記受信手段と前記表示手段とにそれぞれ供給する整流手段を、さらに備えていることを特徴とする請求項６に記載の非接触ＩＣカードシステム。
【請求項８】
前記表示手段は、前記受信データの表示後は、その表示手段の電源をオフにしてもその表示内容が消去されずに一定時間継続できるようになっていることを特徴とする請求項６または請求項７に記載の非接触ＩＣカードシステム。
【発明の詳細な説明】
【技術分野】
【０００１】
本発明は、非接触ＩＣカードと組み合わせて使用され、音声認識に係るデータをその非接触ＩＣカードに対して送信できるようにした、音声認識機能付きリーダライタに関するものである。
【０００２】
また、本発明は、その音声認識機能付きリーダライタと非接触ＩＣカードとからなり、音声認識機能付きリーダライタが音声認識に係るデータを送信すると、この送信データを非接触ＩＣカードが受信し、この受信データを非接触ＩＣカードの有する表示器に表示できるようにした非接触ＩＣカードシステムに関するものである。
【背景技術】
【０００３】
従来、非接触ＩＣカードとリーダライタとの間で、無線（電波）によりデータの授受を行うことができる非接触ＩＣカードシステムが知られている。
【０００４】
この非接触ＩＣカードシステムは、図５に示すように、上位装置であるコンピュータ（図示せず）などと接続されるリーダライタ１と、このリーダライタ１との間で電波によりデータの授受を行う非接触ＩＣカード２と、を備えている（例えば特許文献１参照）。
【０００５】
リーダライタ１は、図５に示すように、制御回路１１と、データの送信または受信を行う送受信回路１２と、アンテナ１３とを備えている。非接触ＩＣカード２は、図５に示すように、制御回路２１と、データの送信または受信を行う送受信回路２２と、アンテナ２３と、整流回路２４とを備えている。
【０００６】
次に、このような構成からなる非接触ＩＣカードシステムの通信手順について、図５を参照して説明する。
【０００７】
非接触ＩＣカード２内のアンテナ２３が、リーダライタ１のアンテナ１３からの所定のコマンドデータを受信すると、共振作用によりアンテナ２３に起電力が発生する。この起電力が整流回路２５で整流され、制御回路２１と送受信回路２２とに供給される。
【０００８】
これにより、制御回路２１が起動されて送信すべきデータを生成し、この生成データが送受信回路２２によりアンテナ２３に供給され、アンテナ２３から放射される。リーダライタ１の送受信回路１２がそのデータを受信すると、その受信データは制御回路１１に転送される。
【特許文献１】特開平８−２４１３８３号公報
【発明の開示】
【発明が解決しようとする課題】
【０００９】
このような従来の非接触ＩＣカードシステムでは、リーダライタ１から非接触ＩＣカード２に対して所望の情報を送ることが可能である。
【００１０】
しかし、リーダライタ１は、コンピュータなどからのデータをいったん受け取り、その受け取ったデータを非接触ＩＣカード２に対して送出するようになっている。
【００１１】
このため、送りたい各種の文字情報などがある場合には、その情報の送出に先立って、キーボードなどを用いてコンピュータに対していちいち入力する必要がある。また、その情報の入力はキーボードなどを用いて行うために、その入力が煩雑であるという不具合がある。
【００１２】
一方、リーダライタ１から非接触ＩＣカード２に対して各種の文字情報が送られてきたとしても、従来の非接触ＩＣカード２では、その送られてきた文字情報の内容を視覚を通じて容易に認識することができないという不具合がある。
【００１３】
そこで、本発明の第１の目的は、上記の点に鑑み、送信すべき各種の情報がある場合に、その情報を入力する煩雑さがない上にリアルタイムで取得できるようにした音声認識機能付きリーダライタを提供することにある。
【００１４】
また、本発明の第２の目的は、送信側では、送信すべき各種の情報がある場合に、その情報を入力する煩雑さがない上にリアルタイムで取得でき、受信側では、その送信情報を視覚を通じてユーザが確実に認識できるようにした非接触ＩＣカードシステムを提供することにある。
【課題を解決するための手段】
【００１５】
上記の課題を解決し本発明の目的を達成するために、各発明は、以下のように構成するようにした
すなわち、第１の発明は、非接触ＩＣカードに対してデータを送信するための送信手段を備えたリーダライタにおいて、入力された音声の意味内容を認識する音声認識手段を備え、前記音声認識手段が認識した意味内容またはその意味内容に従うデータを、前記データとして前記送信手段に供給するようにした。
【００１６】
第２の発明は、第１の発明において、前記音声認識手段が認識した意味内容またはその意味内容に従うデータと外部データとのいずれか一方を選択的に前記送信手段に供給する選択手段を、さらに備えている。
【００１７】
第３の発明は、非接触ＩＣカードに対してデータを送信するための送信手段を備えたリーダライタにおいて、入力された音声の意味内容を認識し、この認識した意味内容を対応する文字データに変換する音声・文字変換手段を備え、前記音声・文字変換手段が変換した文字データを、前記送信手段の送信データとして前記送信手段に供給するようにした。
【００１８】
第４の発明は、第３の発明において、前記音声・文字変換手段で変換された文字データと外部データとのいずれか一方を選択的に前記送信手段に供給する選択手段を、さらに備えている。
【００１９】
第５の発明は、非接触ＩＣカードに対してデータを送信するための送信手段を備えたリーダライタにおいて、入力された音声の意味内容を認識し、この認識した意味内容を対応する文字データに変換する音声・文字変換手段と、前記音声・文字変換手段が変換した文字データが所定のものであるか否かを判定する判定手段と、前記判定手段で前記文字データが所定のものであると判定された場合に、その文字データを格納する記憶手段とを備え、前記非接触ＩＣカードが前記リーダライタと通信が可能な場合に、前記記憶手段に記憶される文字データを読み出し、この読み出した文字データを前記送信手段の送信データとして前記送信手段に供給するようにした。
【００２０】
第６の発明は、第１乃至第５の発明のうちのいずれかの発明である音声認識機能付きリーダライタと、非接触ＩＣカードとを備え、前記非接触ＩＣカードは、音声認識機能付きリーダライタの送信手段から送信される送信データを受信する受信手段と、前記受信手段が受信した受信データを表示する表示手段と、を備えている。
【００２１】
第７の発明は、第６の発明において、前記非接触ＩＣカードは、
前記受信手段が受信する受信電波を整流して電圧を生成し、この整流電圧を前記受信手段と前記表示手段とにそれぞれ供給する整流手段を、さらに備えている。
【００２２】
第８の発明は、第６または第７の発明において、前記表示手段は、前記受信データの表示後は、その表示手段の電源をオフにしてもその表示内容が消去されずに一定時間継続できるようになっている。
【００２３】
このような構成からなる本発明のリーダライタによれば、送信すべき各種の情報がある場合に、その情報を入力する煩雑さがない上にリアルタイムで取得できる。
【００２４】
また、本発明の非接触ＩＣカードシステムによれば、送信側では、送信すべき各種の情報がある場合に、その情報を入力する煩雑さがない上にリアルタイムで取得でき、受信側では、その送信情報を視覚を通じてユーザが確実に認識できる。
【発明を実施するための最良の形態】
【００２５】
以下、本発明の実施の形態について図面を参照して説明する。
【００２６】
図１は、本発明の非接触ＩＣカードシステムの実施形態の全体の構成を示すブロック図である。
【００２７】
この実施形態に係る非接触ＩＣカードシステムは、図１に示すように、音声認識機能付きリーダライタ３と、この音声認識機能付きリーダライタ３との間で電波によりデータの授受を行う非接触ＩＣカード４とを備えている。
【００２８】
また、この非接触ＩＣカードシステムは、音声認識機能付きリーダライタ３が音声認識したデータまたはその音声認識に基づく所定の変換データを送信すると、この送信データを非接触ＩＣカード４が受信し、この受信データの内容が非接触ＩＣカード４に表示できるようになっている。
【００２９】
さらに、この非接触ＩＣカードシステムは、例えば駅または図書館などの公共施設で使用されるものである。駅で使用される場合には、リーダライタ３は駅の改札口に設置され、非接触ＩＣカード４は定期券として使用されることになる。
【００３０】
ここで、上記の非接触ＩＣカード４は、ＩＣタグ、ＲＦ−ＩＤ（ＲＦタグ）など、リーダライタイとの間で電波によりデータの授受ができるものを含む。
【００３１】
次に、音声認識機能付きリーダライタ３の具体的な構成について説明する。
【００３２】
この音声認識機能付きリーダライタ３は、図１に示すように、切り換えスイッチ３１と、マイクロホン３２と、音声・文字変換部３３と、操作部３４と、制御回路３５と、送受信回路３６と、アンテナ３７とを備えている。
【００３３】
切り換えスイッチ３１は、通常は上位のコンピュータ（図示せず）などと接続され、そのコンピュータと制御回路３１との間でデータの授受を行うようになっている。また、切り換えスイッチ３１は、操作部３４の操作により操作者が音声入力を指示すると、制御回路３５によりその接点が図１の位置とは反対側に切り換わり、音声・文字変換部３３からの文字データを制御回路３５に入力するようになっている。すなわち、切り換えスイッチ３１は、外部からのデータと音声・文字変換部３３からの文字データとを選択的に入力するようになっている。
【００３４】
マイクロホン３２は、音声を電気信号に変換し、この変換させた電気信号を音声・文字変換部３３に入力するようになっている。音声・文字変換部３３は、マイクロホン３２から出力される音声を変換させた電気信号に基づき、その音声の意味内容を認識し、この認識結果に対応する文字データに変換し、この変換した文字データを出力するようになっている。この音声入力と、これに対応する文字データの変換例を図４に示す。操作部３４は、操作者がマイクロホン３２の使用により音声入力を行う場合に、その音声入力の指示を制御回路３５に対して行うものである。
【００３５】
制御回路３５は、通常は、切り換えスイッチ３１を介して上位のコンピュータなどと接続され、そのコンピュータなどとの間でデータの授受を行うようになっている。また、制御回路３５は、必要に応じて送信データを生成し、その生成した送信データを送受信回路３６に送るようになっている。さらに、制御回路３５は、送受信回路３６がデータを受信した場合には、その受信データを受け取るとともに、必要な場合にはその受信データを上位のコンピュータに転送するようになっている。
【００３６】
また、制御回路３５は、操作部３４から音声入力の指示があると、切り換えスイッチ３１の接点を図１の位置とは反対側に切り換え、音声・文字変換部３３からの文字データを受け取るようになっている。さらに、制御回路３５はメモリ３５１を含み、音声・文字変換部３３からの文字データに対して、後述のような処理を行うようになっている。
【００３７】
送受信回路３６は、制御回路３５から送信データが出力されるときには、その送信データで搬送波を変調して変調波を生成し、その変調波をアンテナ３７に供給するようになっている。また、送受信回路３６は、アンテナ３７が受信した電波から送信データを復調し、その復調データを制御回路３５に出力するようになっている。また、アンテナ３７は、送受信回路３６からの変調波を受け取って電磁波の形態で放射したり、非接触ＩＣカード４のアンテナ４３から放射される電波を受信するためのものである。
【００３８】
次に、非接触ＩＣカード具体的な構成について、図１を参照して説明する。
【００３９】
この非接触ＩＣカード４は、図１に示すように、制御回路４１と、送受信回路４２と、アンテナ４３と、整流回路４４と、表示器４５とを備えている。
【００４０】
制御回路４１は、送信データを生成し、その生成した送信データを送受信回路４２に送るようになっている。また、制御回路４１は、送受信回路４２がデータを受信した場合にはその受信データを受け取り、その受け取った受信データが表示器４５で表示すべき場合には、表示器４５に出力するようになっている。
【００４１】
送受信回路４２は、アンテナ４３が受信した電波に基づいて受信データを復調し、その復調データを制御回路４１に出力するようになっている。また、送受信回路４２は、制御回路４１から送信データが出力されるときには、その送信データで搬送波を変調して変調波を生成し、その変調波をアンテナ４３に供給するようになっている。アンテナ４３は、リーダライタ３のアンテナ３７から放射される電波を受信したり、送受信回路４２からの変調波を受け取って電磁波の形態で放射するためのものである。
【００４２】
整流回路４４は、アンテナ４３の受信電波を整流して整流電圧を生成するものであり、その整流電圧を送受信回路４２、制御回路４１、および表示器４５にそれぞれ電源電圧として供給し、各部を駆動するようになっている。
【００４３】
表示器４５は、送受信回路４２が受信した受信データのうち、制御回路４１が表示が必要と判断したものについて、その受信データの内容を表示するものである。この表示器４５は、例えば電気泳動型の表示器のように、その表示内容が書き換えできる上に、保存性（メモリ性）があるものが使用される。すなわち、表示器４５は、整流回路４４からの電圧が供給されなくなり電源がオフとなっても、その表示状態が一定時間持続できるようになっている。
【００４４】
次に、このような構成からなる実施形態に係る非接触ＩＣカードシステムの動作例について、図１〜図４を参照して説明する。
【００４５】
この例では、音声認識機能付きリーダライタ３を駅の改札口に設置し、非接触ＩＣカード４を定期券として使用する場合であって、そのリーダライタ３で駅員の場内アナウンスを音声入力し、この音声入力に基づいて所望のデータを非接触ＩＣカード４に表示する場合について説明する。
【００４６】
まず、リーダライタ３側の動作について、図１〜図３を参照して説明する。
【００４７】
いま、駅員が、音声入力を行うためにその旨の指示を操作部３４で行うと、制御回路３５は切り換えスイッチ３１の接点を図１とは反対の位置に切り換える。その後、駅員がマイクロホン３２で利用者に伝えたい情報を例えば単語単位で話すと（ステップＳ１）、その音声がマイクロホン３２で電気信号に変換され、その変換された電気信号が音声・文字変換部３３に入力される（ステップＳ２）。
【００４８】
音声・文字変換部３３は、そのマイクロホン３２から出力される電気信号に基づき、その音声の意味内容を認識して、その認識に対応する文字データに変換する（ステップＳ３）。このように入力される単語（認識された単語）と、その単語に対応して変換される文字データとの対応の一例を示すと、図４に示すようになる。
【００４９】
図４に示すように、入力される単語と、その認識された単語に対応して変換される文字データとは、例えば「○○線」、「遅れ」、「最終電車」の場合には、その両者が一致しているので、その認識結果のデータがそのまま使用できる。
【００５０】
しかし、入力される単語が「次の電車」などの場合には、それに対応して変換される文字データは「発車ホーム  時刻データ」になる。従って、この場合には、その「発車ホーム  時刻データ」は、切り換えスイッチ３１を一時的に切り換えることにより上位のコンピュータから取得することになる。
【００５１】
次に、制御回路３５は、その変換された文字データが予め定めたキーワード内に存在するか否かを判定する（ステップＳ４）。この判定を行うのは、その変換された文字データは、その表示に不用なものが含まれるので、これを排除するためである。
【００５２】
ステップＳ４で判定の結果、その変換された文字データがキーワード内に存在しない場合には（否定判定）、その音声入力に係る処理は終了する。一方、その文字データがキーワード内に存在する場合には（肯定判定）、次のステップＳ５に進み、その存在する文字データをメモリ３５１に保存（格納）する。
【００５３】
その後、制御回路３５は、リーダライタ３の通信範囲内に非接触ＩＣカード４が存在するか否かを判定する（ステップＳ６）。すなわち、リーダライタ３に非接触ＩＣカード４が接近し、両者で通信が可能かどうかを判定する。この判定は、制御回路３５が、所定の搬送波を送受信回路３６がアンテナ３７に出力させ、これに基づいて送受信回路３６が非接触ＩＣカード４からの所定の送信データを受信し、この受信データに基づいて行う。
【００５４】
ステップＳ６において、制御回路３５がリーダライタ３の通信範囲内に非接触ＩＣカード４が存在することを判定すると、制御回路３５は、メモリ３５１に格納されている文字データを送信データとして読み出し、この読み出した送信データに対して表示すべきである旨を示す表示用識別データを付加し、これを送受信回路３６に出力する。送受信回路３６では、その表示用識別データが付加された送信データを非接触ＩＣカード４に送信する（ステップＳ７）。このために、送受信回路３６は、その送信データで搬送波を変調し、この変調波をアンテナ３７に出力する。
【００５５】
次に、このようにリーダライタ３からの送信データを非接触ＩＣカード４が受信し、表示する場合の動作例について、図１および図３を参照して説明する。
【００５６】
リーダライタ３からの送信データを、アンテナ４３を介して送受信回路４２が受信すると、その受信データは制御回路４１に転送される（ステップＳ１１）。次に、制御回路４１は、その受信データが表示すべきデータか否を判定する（ステップＳ１２）。
【００５７】
この判定は、その受信データには、リーダライタ３で音声入力されるデータに係るものと、リーダライタ３に上位のコンピュータなどから入力されるデータに係るものとの２種類があり、これらを区別し、音声入力に係るものだけを表示データとして表示器４５に転送するためである。この判定には、上記のように受信データに付加された表示用識別データの有無により行う。
【００５８】
ステップＳ１２で判定の結果、その受信データが表示すべき文字データの場合には、その文字データを表示器４５に転送する。この結果、表示器４５は、制御回路４１で判定された表示データ（文字データ）をその表示部に表示する（ステップＳ１３）。
【００５９】
ここで、この表示器４５は、その表示内容が書き換えできる上に、保存性（メモリ性）があるものが使用される。このため、表示器４５は、非接触ＩＣカード４がリーダライタ３から離れ、整流回路４４からの電圧が供給されなくなっても、その表示状態が一定時間持続できる。このため、非接触ＩＣカード４の利用者は、その表示器４の表示内容を見ることによりその文字情報を視覚を通じて確実に認識できる。
【００６０】
この実施形態では、上記のような一連の動作により、リーダライタ３で入力する音声を使用し、この音声に対応する所定の文字データを非接触ＩＣカード４の表示器４５に表示できる。そこで、その入力される音声と、その音声に対応する表示の例について、以下に３つの例を説明する。
【００６１】
第１に、音声入力が「○○線○○行きの電車が○○分遅れています」の場合には、その表示内容は「○○線  ○○行き  ○○分遅れ」となる。
【００６２】
第２に、音声入力が「○○線最終電車は○時○分発車予定です」のには、その表示内容は「○○線  最終電車  ○時○分」となる。
【００６３】
第３に、音声入力が「事故が発生した関係で○○線下り電車が遅れています」の場合には、その表示内容は「事故理由  ○○線  ○分遅れ  下り」となる。
【００６４】
以上説明したように、この実施形態に係る非接触ＩＣカードシステムによれば、音声認識機能付きリーダライタ３側では、送信すべき各種の情報がある場合に音声入力できるようにしたので、その情報を入力する煩雑さがない上にリアルタイムに取得できる。
【００６５】
一方、非接触ＩＣカード４側では、受信情報を表示器に表示するようにしたので、その送信情報を視覚を通じてユーザが確実に認識できる。また、その表示内容は保存性があるので、必要なときに随時確認することができる。さらに、その非接触ＩＣカード４のユーザが聴覚に障害を持つ場合には、情報の伝達手段として非常に有用である。
【００６６】
なお、上記の動作例では、上記の実施形態の非接触ＩＣカードシステムを鉄道の駅に適用し、音声認識機能付きリーダライタ３を駅の改札に設置し、非接触ＩＣカード４を定期券として使用した場合について説明した。しかし、上記の実施形態の非接触ＩＣカードシステムを図書館に適用し、音声認識機能付きリーダライタ３を図書館の出入り口に設置し、非接触ＩＣカード４を図書貸し出し券に使用するようにしても良い。
【００６７】
この場合には、その非接触ＩＣカード４で表示したい各種の情報を、音声認識機能付きリーダライタ３で入力しておけば良い。これにより、ユーザは図書館に出入りする際に、非接触ＩＣカード４でその情報を取得して表示器に表示することができる。
【００６８】
また、上記の実施形態では、音声・文字変換部３３を設け、マイクロホン３２からの入力音声の意味内容を認識し、この認識結果に対応する文字データに変換するようにした。すなわち、音声・文字変換部３３は、音声認識と、この音声認識の結果に対応する文字データへの変換とを行い、その変換された文字データを出力するようにした。しかし、音声・文字変換部３３は、マイクロホン３２からの入力音声の意味内容を認識し、その認識データを出力するようにしてもよい。すなわち、音声・文字変換部３３は、いわゆる音声認識機能だけを有する音声認識部であっても良い。
【図面の簡単な説明】
【００６９】
【図１】本発明の実施形態に係る非接触ＩＣカードシステムの構成を示すブロック図である。
【図２】図１の音声認識機能付きリーダライタの動作を説明するためのフローチャートである。
【図３】図１の非接触ＩＣカードの動作を説明するためのフローチャートである。
【図４】入力音声と文字データとの対応関係の一例を示す図である。
【図５】従来の非接触ＩＣカードシステムの構成を示すブロック図である。
【符号の説明】
【００７０】
３・・・リーダライタ、４・・・非接触ＩＣカード、３１・・・切り換えスイッチ、３２・・・マイクロホン、３３・・・音声・文字変換部、３４・・・操作部、３５・・・制御回路、３６・・・送受信回路、３７・・・アンテナ、４１・・・制御回路、４２・・・送受信回路、４３・・・アンテナ、４４・・・整流回路、４５・・・表示器。
【図１】
2005222309.tif 000003
【図２】
2005222309.tif 000004
【図３】
2005222309.tif 000005
【図４】
2005222309.tif 000006
【図５】
2005222309.tif 000007